(57)【要約】【課題】裏写りした画像を過不足無く除去し、読取り対象としている原稿面の画像を精度よく生成できる画像処理装置を提供できる。【解決手段】画像データを入力する画像入力部１３と、表面画像データに対し濃度の表レベル値を設定してこの値以上となる画像部分を削除した表画像データを生成する表面画像加工手段１０Ａと、裏面画像データに対し濃度の裏レベル値を設定してこのレベル値以下となる画像部分を削除した裏画像データを生成する裏面画像加工手段１０Ａと、裏画像データに基づき形成される画像を鏡像反転させた鏡像画像データを生成する鏡像画像生成手段１０Ａと、表画像データと鏡像画像データとを論理積で合成して裏写り画像を特定した第１合成データを生成する第１画像合成手段１０Ａと、表面画像データと第１合成データとを排他的論理和で合成して読取り対象の表画像を特定した第２合成データを生成する第２画像合成手段１０Ａを有する。【選択図】    図１
2008177797.tif 000002
【特許請求の範囲】
【請求項１】
読取の対象である原稿の表面側及び読取の対象ではない裏面側それぞれの画像データを入力可能な画像入力部と、
表面画像データに対し、濃度に関する表レベル値を設定して当該表レベル値以上となる画像部分を削除した表面削除画像データを生成させる表面画像加工手段と、
裏面画像データに対し、濃度に関する裏レベル値を設定して当該裏レベル値以下となる画像部分を削除した裏面抽出画像データを生成させる裏面画像加工手段と、
前記裏面抽出画像データに基づいて形成される画像を鏡像反転させた鏡像画像データを生成させる鏡像画像生成手段と、
前記表面削除画像データと前記鏡像画像データとを論理積で合成して裏写り画像を特定した第１合成データを生成する第１画像合成手段と、
前記表面画像データと前記第１合成データとを排他的論理和で合成して、読取り対象となる表画像を特定した第２合成データを生成する第２画像合成手段とを有する、ことを特徴とする画像処理装置。
【請求項２】
前記表レベル値及び前記裏レベル値の少なくとも一方を任意に設定できるレベル値設定手段を更に備えている、ことを特徴とする請求項１に記載の画像処理装置。
【請求項３】
請求項１又は２に記載の画像処理装置と、
原稿両面に描かれた画像をそれぞれ読取って前記画像入力部へ入力する前記画像データを生成させる画像読取装置と、
前記第２合成手段が生成させた第２合成データに基づいて、画像を出力する画像出力装置とを含む、ことを特徴とする画像形成装置。
【請求項４】
原稿の表裏面それぞれの画像データを得るステップと、
読取の対象である表面画像データに対し、濃度に関する表レベル値を設定して当該表レベル値以上となる画像部分を削除した表面削除画像データを生成させるステップと、
読取の対象でない裏面画像データに対し濃度に関する裏レベル値を設定して当該裏レベル値以下となる画像部分を削除した裏面削除画像データを生成させ、更に当該裏面削除画像データによる画像を鏡像反転させた鏡像画像データを生成させるステップと、
前記表面削除画像データと前記鏡像画像データとを論理積で合成して裏写り画像を特定した第１合成データを生成させるステップと、
前記表面画像データと前記第１合成データとを排他的論理和で合成して、読取り対象となる表画像を特定した第２合成データを生成させるステップとを含む、ことを特徴とする画像処理方法。
【請求項５】
読取の対象である原稿の表面側及び読取の対象ではない裏面側それぞれの画像データを入力可能な画像入力部と、
前記画像データの表裏情報を埋込む表裏情報埋込み手段と、
表面画像データに対し、濃度に関する表レベル値を設定して当該表レベル値以上となる画像部分を削除するため削除画像データを埋込んだ表画像データを生成させる削除データ埋込み手段と、
裏面画像データに対し、濃度に関する裏レベル値を設定して当該裏レベル値以下となる画像部分削除するための抽出画像データを埋込んだ裏画像データを生成させる抽出データ埋込み手段とを有する、ことを特徴とする画像処理装置。
【請求項６】
原稿両面それぞれの画像データを入力可能な画像入力部と、
前記両画像データに対し、濃度に関する表レベル値を設定して当該レベル値以上となる画像部分を削除するため削除画像データを埋込んだ第１の画像データを生成させる削除データ埋込み手段と、
前記両画像データに対し、濃度に関する裏レベル値を設定して当該裏レベル値以下となる画像部分を削除するための抽出画像データを埋込んだ第２の画像データを生成させる抽出データ埋込み手段とを有する、ことを特徴とする画像処理装置。
【請求項７】
請求項５または６に記載の画像処理装置と、前記画像処理装置から取得する前記画像データに基づいて裏写りを除去した画像を生成させるコンピュータと含み、
前記コンピュータが、前記画像データに基づいて形成する画像を鏡像反転する処理、裏写り画像を特定する第１合成処理及び、表画像を特定する第２合成処理を行って裏写り除去した画像を生成させる、ことを特徴とする裏写り画像処理システム。
【発明の詳細な説明】
【技術分野】
【０００１】
本発明は、原稿の読取（スキャン）を行ったときに、読取り対象の表面側に描かれている文字図形などの画像（読取り対象の画像）だけでなく、裏面に描かれている不要な文字図形などの画像（裏写り画像）までも読取ってしまう、いわゆる「裏写り」が発生したときに対処する技術に関する。
【背景技術】
【０００２】
薄紙などのように透け易いものが原稿用シート材とされている場合でも、その両面に文字図形などが描かれていることがある。このように薄い原稿用シート材の両面に画像が描かれている原稿を読取ると「裏写り」が発生することになる。裏写りした画像データに基づいて画像形成を行うと、出力された画像に不要な画像（裏写りした画像）が混在するので見難いものになってしまう。このように裏写りが発生する場合の一般的な対処として、読取り画像の濃度を下げるなど行われていた。裏写りしたものは濃度が薄いので、薄い部分を削除することで裏写りを除去するものである。しかし、濃度を低減させると全体の濃度が薄くなり読取り対象であるが当初から濃度が薄い部分が消えてしまうことになるので、濃度を薄くするという単純な対処では裏写りの問題を解決できない。そこで、裏写りに対処するための技術が従来から種々検討されている。
【０００３】
まず、原稿の地肌レベル（原稿用シート材の地色）を検出すると共に所定濃度範囲の画素について濃度の平均化を行い、この濃度平均値をオフセット値とし、このオフセット値に地肌レベルを加えた地肌基準濃度を利用して地肌除去（自動濃度調整）する手法を採用した装置が従前において提案されていた（特開平３−６８２７０号など）。しかし、この地肌除去の技術は裏写りに関する情報を積極的に検出しているわけではなので、裏写りを確実に抑制できない。仮に原稿の裏写りを抑制できたとしても、裏写除去と共にハイライト領域までも除去されてしまう不都合が発生する。
【０００４】
そこで、上記地肌除去による手法の不都合を解消する技術として、裏写り領域について判定を行う裏写り判定回路を備えた画像処理装置を特許文献１で提案している。また、裏画像を左右反転し読取り対象となる表面の読取画像情報から不要な裏画像情報を消去するようにした画像処理装置が特許文献３で提案されている。
【０００５】
【特許文献１】特開平８−３４０４４７号  公報
【特許文献２】特開２００４−４０１４３号  公報
【発明の開示】
【発明が解決しようとする課題】
【０００６】
しかしながら、特許文献１で開示する画像処理装置は、高度な裏写り判定を行う領域判定回路が必要となるので高価な装置になってしまうと共に、裏写りの判定に誤差が生じる場合がある。また、特許文献２で開示する装置は、読取り対象の表画像と裏写りした画像とが重なる部分の取り扱いに考慮していない。よって、表裏で重なる部分を裏画像であるとして消去処理してしまうと、読取りたい表面の画像（読取画像情報）の一部を消去してしまうことになる。
【０００７】
そこで、本発明の主な目的は、裏写りした画像を過不足無く除去し、読取り対象としている原稿面の画像を精度よく生成できる画像処理装置を提供することである。
【課題を解決するための手段】
【０００８】
上記目的は、読取の対象である原稿の表面側及び読取の対象ではない裏面側それぞれの画像データを入力可能な画像入力部と、表面画像データに対し、濃度に関する表レベル値を設定して当該表レベル値以上となる画像部分を削除した表面削除画像データを生成させる表面画像加工手段と、裏面画像データに対し、濃度に関する裏レベル値を設定して当該裏レベル値以下となる画像部分を削除した裏面抽出画像データを生成させる裏面画像加工手段と、前記裏面抽出画像データに基づいて形成される画像を鏡像反転させた鏡像画像データを生成させる鏡像画像生成手段と、前記表面削除画像データと前記鏡像画像データとを論理積で合成して裏写り画像を特定した第１合成データを生成する第１画像合成手段と、前記表面画像データと前記第１合成データとを排他的論理和で合成して、読取り対象となる表画像を特定した第２合成データを生成する第２画像合成手段とを有する画像処理装置により達成できる。
【０００９】
そして、前記表レベル値及び前記裏レベル値の少なくとも一方を任意に設定できるレベル値設定手段を更に備えている画像処理装置とするのがより望ましい。
【００１０】
また、上記目的は、前記画像処理装置と、原稿両面に描かれた画像をそれぞれ読取って前記画像入力部へ入力する前記画像データを生成させる画像読取装置と、前記第２合成手段が生成させた第２合成データに基づいて、画像を出力する画像出力装置とを含む画像形成装置によっても達成できる。
【００１１】
更に、上記目的は、原稿の表裏面それぞれの画像データを得るステップと、読取の対象である表面画像データに対し、濃度に関する表レベル値を設定して当該表レベル値以上となる画像部分を削除した表面削除画像データを生成させるステップと、読取の対象でない裏面画像データに対し濃度に関する裏レベル値を設定して当該裏レベル値以下となる画像部分を削除した裏面削除画像データを生成させ、更に当該裏面削除画像データによる画像を鏡像反転させた鏡像画像データを生成させるステップと、前記表面削除画像データと前記鏡像画像データとを論理積で合成して裏写り画像を特定した第１合成データを生成させるステップと、
前記表面画像データと前記第１合成データとを排他的論理和で合成して、読取り対象となる表画像を特定した第２合成データを生成させるステップとを含む画像処理方法によっても同様に達成できる。
【００１２】
また、上記目的は、読取の対象である原稿の表面側及び読取の対象ではない裏面側それぞれの画像データを入力可能な画像入力部と、前記画像データの表裏情報を埋込む表裏情報埋込み手段と、表面画像データに対し、濃度に関する表レベル値を設定して当該表レベル値以上となる画像部分を削除するため削除画像データを埋込んだ表画像データを生成させる削除データ埋込み手段と、裏面画像データに対し、濃度に関する裏レベル値を設定して当該裏レベル値以下となる画像部分削除するための抽出画像データを埋込んだ裏画像データを生成させる抽出データ埋込み手段とを有する、ことを特徴とする画像処理装置によっても達成できる。
【００１３】
また、上記目的は、原稿両面それぞれの画像データを入力可能な画像入力部と、前記両画像データに対し、濃度に関する表レベル値を設定して当該レベル値以上となる画像部分を削除するため削除画像データを埋込んだ第１の画像データを生成させる削除データ埋込み手段と、前記両画像データに対し、濃度に関する裏レベル値を設定して当該裏レベル値以下となる画像部分を削除するための抽出画像データを埋込んだ第２の画像データを生成させる抽出データ埋込み手段とを有する、ことを特徴とする画像処理装置によっても達成できる。
【００１４】
そして、上記の画像処理装置と、前記画像処理装置から取得する前記画像データに基づいて裏写りを除去した画像を生成させるコンピュータと含み、前記コンピュータが、前記画像データに基づいて形成する画像を鏡像反転する処理、裏写り画像を特定する第１合成処理及び、表画像を特定する第２合成処理を行って裏写り除去した画像を生成させる、ことを特徴とする裏写り画像処理システムよっても上記目的を達成できる。
【発明の効果】
【００１５】
以上説明したように、本発明によると裏写りした画像を過不足無く除去し、読取り対象としている原稿面の画像を精度よく生成できる画像処理装置を提供できる。
【発明を実施するための最良の形態】
【００１６】
以下、図面に基づいて本発明の一実施形態に係る画像処理装置について説明する。この画像処理装置は、裏写りを含む画像に過不足が無く、精度の良い裏写り除去処理を施して、読取り対象の画像（読取画像）データを生成させるものである。
【００１７】
図１は、一実施形態に係る画像処理装置１Ａの構成を示したブロック図である。ただし、この図１は、原稿に描かれた文字図形などの画像を読取って（スキャニングして）その画像データを出力する画像読取装置２と、入力される画像データに基づいて対応する画像を出力する画像出力装置３との間に、画像処理装置１を配置した構成で示している。そして、図１で示すように、画像読取装置２、画像処理装置１Ａ及び画像出力装置３を備える構成とした場合、全体で画像形成装置５を形成することになる。
【００１８】
図１で示す画像読取装置２は、例えば光を走査して原稿を読取り、その画像データを出力するスキャナ装置とすることができる。また、画像出力装置３は画像データに基づいて形成した画像を出力する装置、例えばプリンタ装置やディスプレイ装置とすることができる。そして、画像処理装置１Ａはこれら装置２、３の間に位置して、画像読取装置２が出力した画像データに裏写りがある場合に所定の処理を施す。そして、裏写りの影響を除いた（裏写り除去処理を施した）画像データを画像出力装置３へ供給するものである。よって、画像出力装置３は裏写りのない綺麗な画像を用紙に印刷したり、またディスプレイ上に表示したりする装置となる。そして、これらの機能を一体に備えた画像形成装置５は、例えば裏写り防止機能を備えた複写（コピー）装置として形成できる。
【００１９】
更に、以下においては特徴な裏写り除去機能を有する画像処理装置１Ａを中心に説明する。画像処理装置１Ａは、ＲＯＭ（Read  Only  Memory）１１、ＲＡＭ（Random  Access  Memory）１２等を備え、ＣＰＵ（Central  Processing  Unit）１０Ａを中心に構成されている。この装置１の上流側は、画像入力部となる入力ＩＦ（Interface）１３を介して前記画像読取装置２と接続されている。なお、本実施例では原稿の表面及び裏面の画像が読取られ、それぞれの画像データが入力ＩＦ１３へ供給される。また、下流側は出力ＩＦ１４を介して前記画像出力装置３と接続されている。
【００２０】
ＣＰＵ１０Ａは、画像読取装置２から入力された画像データに対して後述する裏写り除去処理を行うための各種の演算を実行する。このとき、ＣＰＵ１０ＡはＲＯＭ１１に予め格納した裏写り除去処理を実行するためのプログラムやこれに関連するデータを読み出す。画像データはＲＡＭ１２に一時的に記憶され、後述するような処理を受ける。なお、画像処理装置１Ａ内に、ＨＤＤ（Hard  Disk  Drive）などの記憶装置を更に配置してもよい。
【００２１】
図２は、画像処理装置１Ａの機能ブロック図である。ここで示す機能は、主にＣＰＵ１０Ａにより実現される。なお、図２で表面画像データ入力部１１１及び裏面画像データ入力部１１２は、図１の入力ＩＦ１３により実現されている。また、画像出力部１１３は、図１の出力ＩＦ１４により実現されている。
【００２２】
ＣＰＵ１０Ａにより実現される表面画像加工手段１１５は、表面画像データ入力部１１１に入力した表面画像データに対し、濃度に関する表レベル値を設定してこの表レベル値以上となる画像部分を削除した表面削除画像データを生成させる。この表面削除画像データは、後述する第１画像合成手段１１８へ供給されている。
【００２３】
同様に、ＣＰＵ１０Ａにより実現される裏面画像加工手段１１６は、裏面画像データ入力部１１２入力した裏面画像データに対し、濃度に関する裏レベル値を設定してこの裏レベル値以下となる画像部分を削除した裏面抽出画像データを生成させる。さらに、ＣＰＵ１０Ａは鏡像画像生成手段１１７として機能し、裏面抽出画像データに基づいて形成される画像を鏡像反転させた鏡像画像データを生成させる。この鏡像画像データも第１画像合成手段１１８へ供給されている。
【００２４】
更に、ＣＰＵ１０Ａは第１画像合成手段１１８として機能し、上記表面削除画像データと上記鏡像画像データとを論理積（ＡＮＤ）で合成して裏写り画像を特定した第１合成データを生成する。そして、最後に、ＣＰＵ１０Ａは第２画像合成手段１１９として機能し、上記表面画像データと上記第１合成データとを排他的論理和（ＸＯＲ）で合成して、読取り対象となる表画像を特定した第２合成データを生成させる。この第２合成データは裏写りを除去した表面（読取り対象面）の画像データであり、画像出力部１１３を介して出力される。
【００２５】
以下さらに、図を参照して、ＣＰＵ１０Ａにより実行される裏写り除去処理を更に詳細に説明する。図３は、ＣＰＵ１０Ａによって実行される裏写り除去処理を理解し易い様にまとめて示した模式図であり、（Ａ）は読取り対象とする表面についての処理、（Ｂ）裏面についての処理、及び裏写りを除去した画像を形成する合成処理について示している。
【００２６】
まず、（Ａ）を参照して原稿シート材ＳＴの状態について説明する。読取り対象の面（表面）には、中央に大きな鮮明な文字「Ｆ」、及び右上に濃度が相対的に薄い小さい文字「Ｅ」が描かれている。裏面には右下に中程度の文字「Ｃ」が描かれており、これが表面で反転文字となって裏写りしている。そして、この設定では、特に表の文字「Ｆ」と裏写り文字「Ｃ」とが一部で重なる位置関係にある。
【００２７】
（Ａ）で示している表面の処理では、ＣＰＵ１０Ａは濃度に関する表レベル値を設定し、この表レベル値以上となる画像部分を削除した表面削除画像データを生成させる。ここで示す画像（０）は、画像読取装置２で表面を読取ったそのままの表面画像データ（オリジナルの表面画像データ）を示している。よって、表面画像データに基づく画像は、裏写りした反転文字「Ｃ」が現れている。このような表面画像データに、ＣＰＵ１０Ａは濃度が表レベル値ＦＴ以上となる画像部分を削除する処理を施して表面削除画像データを生成させる。この表面画像加工処理により表面に描かれていた相対的に濃度の濃い部分が除去される。表面削除画像データに基づく画像は画像（１）となる。図３（Ａ）は、濃度が表レベル値以下である画像（１）を例示している。
【００２８】
（Ｂ）で示している裏面の処理では、ＣＰＵ１０Ａは濃度に関する裏レベル値を設定し、入力した裏面画像データからこの裏レベル値以下となる画像部分を削除した裏面抽出画像データを生成させる。さらに、裏面抽出画像データに基づいて形成される画像を鏡像反転させた鏡像画像データを生成する。すなわち、ＣＰＵ１０Ａは、裏面画像データから濃度が裏レベル値ＲＴ以下となる画像部分を削除する処理を施して裏面抽出画像データを生成させる。この処理により裏面に現れていた相対的に濃度の薄い部分が除去されて本来の裏面の画像が特定される。さらに、これを鏡像反転したデータが生成される。鏡像画像データに基づく画像は画像（２）となる。図３（Ｂ）で示すように、画像（２）は表面側の文字などと重なりがない本来の裏画像（すなわち、文字「Ｃ」）の画像となる。
【００２９】
そして、ＣＰＵ１０Ａは第１の合成処理を行う。ここでの処理は、上記画像（１）と上記画像（２）とを論理積（ＡＮＤ）で合成して、除去すべき裏写り画像を特定するものである。この場合には、画像（１）と画像（２）との共通部分が除去すべき裏写り画像（３）として特定されることになる。この画像（３）は、図３（Ｃ）で示すように文字「Ｃ」の裏写り画像から文字「Ｆ」との重なり部分を除いた画像となる。
【００３０】
ＣＰＵ１０Ａは最後に第２の合成処理を行う。ここでの処理は、第１の合成処理で得た画像（３）と、画像読取装置２で表面を読取ったそのままの表面画像データに基づく画像（０）とを、排他的論理和（ＸＯＲ）で合成して、裏写りを過不足無く除去した画像を特定する。この場合には、画像（３）と画像（０）との共通部分を除去した画像が裏写りの影響のない本来の表面画像として特定できる。
【００３１】
以上の説明から明らかなように、上記画像処理装置１Ａによると表面画像データが裏写りを含むものであっても、裏面画像データを用いて裏写りを過不足無く除去して、読取り対象としている本来の表面画像データを精度良く生成させることができる。特に、上記のようにＣＰＵ１０Ａは、鏡面反転による処理及び論理積（ＡＮＤ）による第１の合成処理により除去すべき裏写り画像（３）を特定し、続く第２の合成処理でこの画像（３）と裏写りのある当初の表面画像（０）とを排他的論理和（ＸＯＲ）で合成して裏写りを除去した最終的な画像を得る。最後の排他的論理和（ＸＯＲ）の処理では、裏写り画像と表面側の画像との重なり部分では、表側の画像を優先するように設定している。よって、図３で図示されているように、従来にあっては対処が困難であった表面画像と裏写り画像との重なり部分、すなわち図３では表の文字「Ｆ」と裏の文字「Ｃ」とが一部重なる部分があっても欠け部分がない鮮明な表面画像を形成できる。
【００３２】
更に、ＣＰＵ１０Ａが裏写り除去処理をするときに用いている表レベル値ＦＴ、裏レベル値ＲＴの設定手法について説明する。図３（Ａ）で一定濃度より濃い画像を消去するために設定する表レベル値ＦＴ、及び一定濃度より薄い画像を消去するために設定する裏レベル値ＲＴはＲＯＭ１１などに予め記憶した所定値を採用するようにしてもよい。しかし、読取る原稿の素材は使用しているインクなどにより裏写りの状態が変化するので、裏写りの状態を確認して上記表レベル値ＦＴや裏レベル値ＲＴを設定できる構成を備えるのがより好ましい。
【００３３】
図４は、上記点を考慮して、操作者がレベル値を設定できるレベル値設定手段を備えた画像処理装置１Ｂについて示している。この画像処理装置１ＢはＣＰＵ１０Ｂにより制御されている。なお、この図４については、図１で示した画像処理装置と同じ構成部分には同一の符号を付すことで重複する説明を省略する。図４で示す画像処理装置１Ｂは、操作者によりレベル値を設定入力するレベル値設定手段となる入力装置１５、及び設定したレベル値を確認するための表示装置１６を備えている。ここで、入力装置１５は表レベル値ＦＴと裏レベル値ＲＴとの設定切替、及びレベル値を増減できるレベル変更スイッチなどを含むものであれば特に限定はない。同様に、表示装置１６は操作者がレベル値を目視しながらレベル値を調整できるディスプレイなどであればよく、特に限定はない。
【００３４】
図５は、表示装置１６の表示例を示した図である。この画面にはレベル値設定のためのサンプルイメージが表示されている。また、図５は画像の濃度に応じた出力を示すヒストグラム及びレベル値を合せて表示している。イメージ図では文字「Ｆ」が表画像、裏写りしている文字「Ｅ」を反映している。入力装置１５のレベル変更スイッチ１５ＳＷを操作して、表レベル値ＦＴを任意に設定する。例えば、図示しているようにレベル変更スイッチ１５ＳＷを操作することにより、表示装置１６にて目視で確認しながらレベル値を徐々に変化させて表面の色が濃い文字「Ｆ」を削除する表レベル値を設定できる。このような操作を行えば、操作者により最適な表レベル値を設定してから、前述した裏写りの処理を実行できる。よって、より鮮明な裏写りの無い画像を生成できる。なお、裏レベル値ＲＴの設定も同様に行えばよい。ただし、表レベル値ＦＴに基づいて、裏レベル値ＲＴの設定も可能である。よって、表レベル値ＦＴを設定したときに、裏レベル値ＲＴを自動設定するようにしてもよい。
【００３５】
（他の実施形態）
前述した実施形態は、画像処理装置１Ａ、１Ｂを画像読取装置２と画像出力装置３との間に配置して裏写りのない画像を速やか出力できるように構成した場合を例示したが、本発明の実施形態はこれに限定するものではない。さらに、図を参照して他の実施形態を説明する。
【００３６】
図６はコンピュータ２０（以下、ＰＣ２０と称す）と接続するように構成した画像処理装置１Ｃを含む裏写り画像処理システムについて示している。この図６でも図１で示した部分と同じ構成部分には同一の符号を付している。画像処理装置１ＣのＣＰＵ１０Ｃは、画像データに前述したレベル値に関する情報をメタデータの一部として埋め込んだ画像データ（以下、埋込み画像データ、と称する）を生成させる。そして、出力ＩＦ１４を介して埋込み画像データをＰＣ２０へ供給している。なお、ＰＣ２０にディスプレイ装置２１及びプリンタ装置２２が接続されている。
【００３７】
上記ＰＣ２０側の記憶装置には裏写りを除去するプログラムが予め格納されている。このプログラムは画像処理装置１Ｃから供給される埋込み画像データを使用して、不要な裏写り画像を除去して読取り対象としてい表面画像を得るものである。このプログラムのアルゴリズムは、先の実施形態で詳述した、鏡像反転処理、論理積（ＡＮＤ）による第１の合成処理及び排他的論理和（ＸＯＲ）による第２の合成処理を実行するものを同様に設定すればよい。
【００３８】
図７は画像処理装置１Ｃの機能ブロック図である。なお、表面画像データ入力部１１１及び裏面画像データ入力部１１２は、図６の入力ＩＦ１３により実現されている。画像出力部１１３は、図６の出力ＩＦ１４により実現されている。他の機能は主にＣＰＵ１０Ｃにより実現される。
【００３９】
ただし、図７で示す例は、画像データを受けるＰＣ２０側で任意の面を読取り面として選択（指定）できるように、画像処理装置１ＣのＣＰＵ１０Ｃが表裏両面についてレベル値を埋込んだ埋込み画像データを生成させる。すなわち、このＣＰＵ１０Ｃは削除データ埋込み手段１２１として機能して、一応、表面とした面の画像データに対し、濃度に関する表レベル値を設定してこのレベル値以上となる画像部分を削除するように埋め込んだ表面の削除画像データ（第１の画像データ）を生成させる。更に、ＣＰＵ１０Ｃは抽出データ埋込み手段１２２として機能して、濃度に関する裏レベル値を設定してこのレベル値以下となる画像部分を削除するように埋め込んだ裏面の抽出画像データ（第２の画像データ）を生成させる。
【００４０】
同様に、ＣＰＵ１０Ｃは、一応、裏面とした面の画像データに対して処理を施す手段を備える。すなわち、ＣＰＵ１０Ｃは抽出データ埋込み手段１２３として機能して、濃度に関する裏レベル値を設定してこのレベル値以下となる画像部分を削除するように埋め込んだ裏面の抽出画像データを生成させる。また、削除データ埋込み手段１２４として機能して、画像データに対し濃度に関する表レベル値を設定してこのレベル値以上となる画像部分を削除するように埋め込んだ表面の削除画像データを生成させる。
【００４１】
上記のように図７で示すＣＰＵ１０Ｃは、削除画像データ及び抽出画像データを埋込んだ画像データを図６で示すＰＣ２０へ供給することになる。そして、前述のように、原稿両面について画像削除用の表レベル値及び画像抽出用の裏レベル値が設定してある。よって、ＰＣ２０側では、操作者がディスプレイ装置２１で任意の面を読取り対象面として指示した面についての画像を生成できる。このときＰＣ２０側では、記憶装置に格納したプログラムを起動して、ＣＰＵ１０Ｃからの画像データに基づいて裏写り画像を除去した画像を生成できる。
【００４２】
図８は、ＰＣ２０によって実行される裏写り処理の一例を示したフローチャートである。裏写りを開始したときに、例えばディスプレイ装置２１に画像データに基づく画像を表示して、その対象画像の面がここでの表面画像（読取り対象画像）であるかを確認する（Ｓ１１）。これ以後は、ＰＣ２０に格納したプログラムに基づいて処理される。このプログラムにより実行される裏写り除去の処理手順（アルゴリズム）は、前述したものと同様であるので重複する説明は省略する（図３参照）。
【００４３】
表面とした画像データについては、ステップＳ１２、Ｓ１３の処理が施される。裏面とした画像データについては、ステップＳ１２、Ｓ１４、Ｓ１５の処理が施される。そして、第１画像合成処理（Ｓ１６）及び第２画像合成処理（Ｓ１７）が実行されて、裏写りが除去された画像データが生成される。そして、例えば図６に示すプリンタ装置２２で用紙に出力して（Ｓ１８）この処理が終了する。
【００４４】
図６を再度、参照して説明する。図６において破線２５で示すように、画像読取装置２によって行う原稿の読取り（スキャン）及び画像処理装置１Ｃの動作をコンピュータ２０よって管理する裏写り画像処理システムを構築してもよい。
【００４５】
また、図６〜図８は、ＰＣ２０側で後に任意の面を表面（読取り対象面）に設定できるようにするため、画像処理装置１ＣのＣＰＵ１０Ｃが、原稿の両面それぞれに削除画像データを埋込んだ画像データ（第１の画像データ）及び抽出画像データを埋込んだ画像データ（第２の画像データ）を生成させている。しかし、これに限らず、原稿の読取対象となる表面及びその裏面が明らかな場合には、各面を反映する埋込み画像データとして削除用の表レベル値又は抽出用の裏レベル値いずれかを組込んだ埋込み画像データを生成させてもよい。そして、この埋込み画像データに表裏情報も合せて埋め込んで、ＰＣ２０側へ供給するようにすればよい。なお、削除用の表レベル値を組込んだ表画像用の埋込み画像データ埋込み手段、また抽出用の裏レベル値を組込んだ裏画像用の埋込み画像データ埋込み手段、更には表裏情報を埋込むための表裏情報埋込み手段は、ＣＰＵ１０Ｃにより実現するようにすればよい。
【００４６】
以上、本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００４７】
【図１】実施形態に係る画像処理装置１Ａの構成を示したブロック図である。
【図２】図１で示す画像処理装置１Ａの機能ブロック図である。
【図３】画像処理装置１ＡのＣＰＵによって実行される裏写り除去処理をまとめて示した模式図であり、（Ａ）は読取り対象とする表面についての処理、（Ｂ）裏面についての処理、及び裏写りを除去した画像を形成する合成処理について示している図である。
【図４】レベル値設定の手段を備えた画像処理装置１Ｂについて示している図である。
【図５】図４で示した画像処理装置１Ｂの表示装置の表示例を示した図である。図である。
【図６】コンピュータと接続するように構成した画像処理装置１Ｃを含む裏写り画像処理システムについて示している図である。
【図７】画像処理装置１Ｃの機能ブロック図である。
【図８】コンピュータによって実行される裏写り処理の一例を示したフローチャートである。
【符号の説明】
【００４８】
１（１Ａ〜１Ｃ）            画像処理装置
２                          画像読取装置
３                          画像出力装置
５                          画像形成装置
１０（１０Ａ〜１０Ｃ）      ＣＰＵ
１３                        入力インターフェース（画像入力部）
１４                        出力インターフェース（画像出力部）
２０                        コンピュータ
【図１】
2008177797.tif 000003
【図２】
2008177797.tif 000004
【図３】
2008177797.tif 000005
【図４】
2008177797.tif 000006
【図５】
2008177797.tif 000007
【図６】
2008177797.tif 000008
【図７】
2008177797.tif 000009
【図８】
2008177797.tif 000010